(57)【要約】【課題】本考案の目的は、免震性の優れた構築物の開発である。【解決手段】土台、中台、さお石からなる構築物において、（ａ）片面に、高分子接着剤乃至高分子粘着剤が塗布されている弾性材料からなるシート材と、該シート材と一体化した金属製乃至プラスチックス製球状体とからなる転倒防止シートを土台と中台の間、中台とさお石の間に挿入されていること（ｂ）接着剤を転倒防止シートが挿入されていない位置に挿入することを特徴とする構築物。【選択図】      図４
0003123123.tif 000002
【実用新案登録請求の範囲】
【請求項１】
土台、さお石からなる構築物において、
片面に、高分子接着剤乃至高分子粘着剤が塗布されている弾性材料からなるシート材と、該シート材と一体化した金属製乃至プラスチックス製球状体とからなる転倒防止シートが土台とさお石の間に挿入されていることを特徴とする構築物。
【請求項２】
土台、中台、さお石からなる構築物において、
片面に、高分子接着剤乃至高分子粘着剤が塗布されている弾性材料からなるシート材と、該シート材と一体化した金属製乃至プラスチックス製球状体とからなる転倒防止シートが土台と中台の間、中台とさお石の間に挿入されていることを特徴とする構築物。
【請求項３】
土台、さお石からなる構築物において、
（ａ）片面に、高分子接着剤乃至高分子粘着剤が塗布されている弾性材料からなるシート材と、該シート材と一体化した金属製乃至プラスチックス製球状体とからなる転倒防止シートが土台とさお石の間に挿入されていること
（ｂ）接着剤を転倒防止シートが挿入されていない位置に挿入すること
を特徴とする構築物。
【請求項４】
土台、中台、さお石からなる構築物において、
（ａ）片面に、高分子接着剤乃至高分子粘着剤が塗布されている弾性材料からなるシート材と、該シート材と一体化した金属製乃至プラスチックス製球状体とからなる転倒防止シートが土台と中台の間、中台とさお石の間に挿入されていること
（ｂ）接着剤を転倒防止シートが挿入されていない位置に挿入すること
を特徴とする構築物。
【請求項５】
請求項１〜４のいずれかにおいて、球状体は金属製乃至プラスチックス製ドーナツ型リングの中に存在し、球状体の周囲は空洞となっていることを特徴とする構築物。
【請求項６】
請求項１〜４のいずれかにおいて、球状体は金属製乃至プラスチックス製ドーナツ型リングの中に存在し、球状体の周囲は弾性材料が充填されていること特徴とする構築物。
【考案の詳細な説明】
【技術分野】
【０００１】
本考案は、免震性が付与された墓石や、顕彰碑などの構築物に関する。
【背景技術】
【０００２】
地震などにより墓石などが倒壊することは広く経験されるところである。このような墓石の倒壊防止のため種々の方法が提案されている。例えば、さお石を頂部として上台、中台、下台と積み重ねた墓石において、さお石の中腹部から上台、中台とを貫通し下台の中腹部に達する貫通孔を設け、該貫通孔に金属棒を嵌合し、金属棒と貫通孔との間には軟質材料の緩衝中空筒を介在させ、該緩衝中空筒の外径と貫通孔の内径とは緩く嵌合し、さお石と上台との接合面には互いの回転を阻止し固着する結合ピンを埋め込んだ墓石が開示されている（特許文献１）。
墓石ブロックを積み重ねた構造の耐震墓石であって、該墓石ブロックの間に弾性緩衝材が存在することを特徴とする耐震墓石が開示されている（特許文献２）。
【０００３】
【特許文献１】特開２００５−１８０１３０号公報
【特許文献２】特開平１１−９３４６０号公報
【０００４】
しかし、従来の公知技術においては、構造が複雑であったり、構築物は、重量があるため、使用中に変形したりしてしまう。本考案においては、さお石乃至中間台と土台の間に金属球を使用した転倒防止用シートを挿入することにより免震性を付与するのであるが、墓石さお石は、重量があり、施工時に移動してしまうなどの問題点が発生した。
【考案の開示】
【考案が解決しようとする課題】
【０００５】
そこで本考案の目的は、免震性向上と同時に、施工性を改良した構築物の開発である。
【課題を解決するための手段】
【０００６】
すなわち、本考案の免震性構築物は、以下の特徴を有する。
（１）土  台、さお石からなる構築物において、
片面に、高分子接着剤乃至高分子粘着剤が塗布されている弾性材料からなるシート材と、該シート材と一体化した金属製乃至プラスチックス製球状体とからなる転倒防止シートが土台とさお石の間に挿入されていることを特徴とする。
（２）  土台、中台、さお石からなる構築物において、
片面に、高分子接着剤乃至高分子粘着剤が塗布されている弾性材料からなるシート材と、該シート材と一体化した金属製乃至プラスチックス製球状体とからなる転倒防止シートが土台と中台の間、中台とさお石の間に挿入されていることを特徴とする。
（３）  土台、さお石からなる構築物において、
（ａ）片面に、高分子接着剤乃至高分子粘着剤が塗布されている弾性材料からなるシート材と、該シート材と一体化した金属製乃至プラスチックス製球状体とからなる転倒防止シートが土台とさお石の間に挿入されていること
（ｂ）接着剤を転倒防止シートが挿入されていない位置に挿入すること
を特徴とする。
（４）  土台、中台、さお石からなる構築物において、
（ａ）片面に、高分子接着剤乃至高分子粘着剤が塗布されている弾性材料からなるシート材と、該シート材と一体化した金属製乃至プラスチックス製球状体とからなる転倒防止シートが土台と中台の間、中台とさお石の間に挿入されていること
（ｂ）接着剤を転倒防止シートが挿入されていない位置に挿入すること
を特徴とする。
（５）  （１）〜（４）のいずれかにおいて、球状体は金属製乃至プラスチックス製ドーナツ型リングの中に存在し、球状体の周囲は空洞となっていることを特徴とする。
（６）  （１）〜（４）のいずれかにおいて、球状体は金属製乃至プラスチックス製ドーナツ型リングの中に存在し、球状体の周囲は弾性材料が充填されていること特徴とする。
【０００７】
本考案において、構築物とは、墓石、顕彰碑、記念碑など人が住む目的以外に作成された建造物をいうが、本考案の構築物の主要な対象は墓石である。本考案の対象である、墓石は通常、地面に近い部分にある墓石土台、上部にある墓石さお石から構成される。場合により、墓石土台と墓石さお石の間に墓石中間台が存在する場合もある。
【０００８】
本考案において、金属製乃至プラスチックス製球状体とは、金属乃至プラスチックスからなる球状体をいう。球状体に使用できる金属としては、好ましくは、アルミニウム、スズ、ハンダ、ステンレス、鉛、真鍮、銅、金メッキ・銀メッキした真鍮や銅をあげることができる。金・銀・白金などの貴金属は高価すぎるし、亜鉛などでは、使用中酸化しやすいからである。また球状体に使用できるプラスチックスとしては、ポリアミド、ポリエステル、ポリオレフィン、ポリアクリロニトリルなどをあげることができる。
【０００９】
本考案における、球状体とは、球、楕円球、角を丸くした立方体、角を丸くした円柱などをあげることができる。使用する球状体の径は半径が０．５〜２０ミリメートルが好ましい。０．５ミリメートルより小さいと弾性体の厚みが必然的に小さくなり、２０ミリメートルより大きくなると、効果が飽和するからである。本考案において、球状体を使用することにより、墓石さお石、墓石中間台の荷重を支えることが可能である。
【００１０】
本考案において、弾性材料からなるシート材に使用する弾性体としては、ウレタンエラストマー、ブチルゴム、ポリウレタン、シリコンゴム、スチレン・ブタジエン・アクリロニトリル系ゴムなどの合成ゴム、天然ゴムをあげることができる。弾性材料からなるシート材として、弾性材料からなるシート材と金属材料乃至プラスチック材料からなるシート材を使用することもできる。
ここで、弾性材料及び金属を積層したシート材に使用する金属としては、好ましくは、アルミニウム、スズ、ハンダ、ステンレス、鉛、真鍮、銅、金メッキ・銀メッキした真鍮や銅をあげることができる。また弾性材料及びプラスチックスを積層したシート材に使用するプラスチックスとしては、ポリアミド、ポリエステル、ポリオレフィン、ポリアクリロニトリルなどをあげることができる。
【００１１】
本考案において一体化したとは、シート材と球状体が相互に共同して転倒防止が可能な如き構造をいい、具体的には、シートの一部に欠落部を形成させ、この部分にドーナツ型金属リングや球状体を配した構造、シートの中に欠落部を形成することなく、球状体やドーナツ型金属リングを配した構造をあげることができる。
本考案において使用されるドーナツ型金属リングにおけるドーナツ型とは、円柱の中心部が欠落した構造の輪型の形状をいう。欠落部の径を球状体の径より大きくすれば、墓石土台上又は墓石中間台上に置いたとき、ドーナツ型金属リングの中心部に球状体を置くことが可能であり、結果としてドーナツ型金属リングは、球状体の移動防止壁となすことが可能となる。
【００１２】
ドーナツ型金属リングに使用される金属としては、好ましくは、スズ、ハンダ、ステンレス、鉛、真鍮、銅、金メッキ・銀メッキした真鍮、銅をあげることができる。
【００１３】
本考案において、転倒防止シートの片面に使用される高分子接着剤乃至高分子粘着剤としては、デンプンのり、ポリビニルアルコール水溶液等の水溶性高分子、エポキシ樹脂、酢酸ビニル樹脂、アクリル樹脂、メタクリル樹脂、生ゴムなどのゴム系接着剤をあげることができる。
【００１４】
本考案において、土台とさお石の間、土台と中台の間、さお石と中台の間に挿入される高分子接着剤としては、デンプンのり、ポリビニルアルコール水溶液等の水溶性高分子、エポキシ樹脂、酢酸ビニル樹脂、アクリル樹脂、メタクリル樹脂、生ゴムなどのゴム系接着剤をあげることができる。この場合、接着剤層は、適度の厚みが必要であるため、袋に入れたり、プラスチック材料や弾性材料の両面に接着剤を塗布したりすることもできる。
【００１５】
本考案おいて、転倒防止シートの接着剤乃至高分子粘着剤を塗布した面を保護するため、シリコン樹脂を塗布した紙乃至フィルムで保護し、使用直前に紙乃至フィルムを剥離し使用することができる
【００１６】
本考案において、接着剤乃至粘着剤の塗布面は、シート材料の一面のみである。接着剤乃至粘着剤を塗布されている面を墓石さお石の面に向けて、墓石さお石と墓石さお石の間に挿入された場合を考える。墓石さお石と転倒防止シートの接着剤乃至粘着剤が塗布されている面は、強固に接着乃至粘着し、転倒防止シートと墓石さお石は強固に接着乃至粘着している。一方接着剤乃至粘着剤が塗布されていない転倒防止シートの面と墓石土台の接着乃至粘着は弱く、転倒防止シートと墓石土台との接着乃至粘着力は弱い。
【００１７】
上記の状況で、地震が起こった場合を想定すると、地震の横揺れに対し、墓石さお石は、地震の横揺れに対し、転倒防止シートと墓石さお石の接着乃至粘着は弱いため、地震に連動して揺れることはなく、地震の影響を弱めることが可能となる。
本考案において、
接着剤を転倒防止シートが挿入されていない位置に挿入すれば、地震の横揺れに対し抵抗するので、構築物の横揺れに対する抵抗性を向上することが可能である。
一方地震の縦揺れに対しては、転倒防止シートの弾性材が働き、地震の影響を弱める働きがある。
【００１８】
転倒防止シートの接着剤乃至粘着剤を塗布する面は、墓石さお石の面に向けることが好ましいが、墓石土台の面に向けることもできる。
【００１９】
本考案において、弾性材料乃至弾性材料と金属材料の積層品からなるシートは、好ましくは、青（緑）、赤、白、黒に着色される。四方の神を表す四神は、東（青龍）：青（緑）、南（朱雀）：赤、西（白虎）：白、北（玄武）：黒とされるからである。着色には、有機顔料、無機顔料、染料が使用できるが、一般には有機顔料、無機顔料が好ましい。無機顔料としては、青：群青など、赤：ベンガラなど、白：酸化チタン、酸化亜鉛など、黒：カーボンブラックなどを使用できる。有機顔料としては、アゾ顔料、フタロシアン顔料などを用いることができる。
【００２０】
本考案において、着色した弾性材料片と、該弾性材料片中に存在する金属球と、ドーナツ型金属リングから構成されている転倒防止用シートは、四個一組で使用され、各各は、青（緑）、赤、白、黒に着色されている。転倒防止用シートを施工するに際しては、青（緑）は東に、赤は南に、白は西に、黒は北に配置することができる。
【００２１】
このように配置することにより、ご本尊を東に「持国天」、南に「増長天」、西に「広目天」、北に「多聞天」がガードするように、余分な浮遊霊や邪悪なものが近づくのをガードすると信じられているのである。
転倒防止シートに、青龍、朱雀、白虎、玄武を表す絵柄を印刷したり、これら絵柄を印刷した紙を挿入したりして、より強力に余分な浮遊霊や邪悪なものが近づくのをガードさせることも可能である。
【考案を実施するための最良の形態】
【００２２】
図１は、墓石土台２と墓石さお石３の間に、中心に金属球と弾性剤５からなる転倒防止シート８を配した墓の正面図である。
図２は、墓石土台２と墓石さお石３の間に、中心に金属球６と弾性剤シート５からなる転倒防止シートを配した墓の、図１Ａ−Ｂ面における断面図である。
図３は、墓石土台２と墓石さお石３の間に、中心に金属球と弾性剤５からなる転倒防止シート、接着剤４を配した墓の正面図である。
図４は、墓石土台２と墓石さお石３の間に、中心に金属球６と弾性剤５からなる転倒防止シートと、接着剤４を配した墓の、図３Ｃ−Ｄ面における断面図である。
なお北側の位置の転倒防止シートは、弾性体は黒色、南側の転倒防止用シートは赤色、東側の転倒防止シートは青色、西側の転倒防止シートは顔料で白色に着色されている。
【００２３】
図５は、図３、図４における中心に金属球を置いた転倒防止シートの代わりに、金属球６と、ドーナツ型金属リング７と、弾性材料５からなる転倒防止シートの平面図である。
図６は、図３、図４における中心に金属球を置いた転倒防止シートの代わりに、金属球６と、ドーナツ型金属リング７と、弾性材料５からなる転倒防止シートのＥ−Ｆ面での断面図である。
図７は、図３、図４における中心に金属球を置いた転倒防止シートの代わりに、金属球６と、ドーナツ型金属リング７と、金属材料９と弾性材料からなる転倒防止シートの平面図である。
図８は、図３、図４における中心に金属球を置いた転倒防止シートの代わりに、金属球６と、ドーナツ型金属リング７と、金属材料９と弾性材料５からなる転倒防止シートのＧ−Ｈ面での断面図である。なお、
図５〜８において、墓石さお石の荷重がかけられると、金属球６は変形して弾性体５の厚みと同じになる。
【００２４】
図９は、図３、図４における中心に金属球を置いた転倒防止シートの代わりに、金属球６と、ドーナツ型金属リング７と、弾性材料５からなる転倒防止シートの平面図である。ここで金属球５は、弾性材料５で取り囲まれている。
図１０は、図３、図４における中心に金属球を置いた転倒防止シートの代わりに、金属球６と、ドーナツ型金属リング７と、弾性材料５からなる転倒防止シートのＩ−Ｊ面での断面図である。ここで金属球５は、弾性材料５で取り囲まれている。
【００２５】
以上の説明によって明らかな様に、本考案による転倒防止シートは、以下に列挙した如き、実用上の好ましい効果を奏する。
（ａ）従来から存在する墓等の構築物に対し、従来から存在する構築物の大幅な改造を行うことなく実施可能である。
（ｂ）施工性が優れ、施工時間が短縮でき、作業効率をあげることができる。
（Ｃ）転倒防止シートに使用する部材は環境に対する影響が少なく安全性が高い。
（ｄ）コストアップも少なく経済性に優れる。
【図面の簡単な説明】
【００２６】
【図１】墓石土台と墓石さお石の間に、中心に金属球と弾性剤からなる転倒防止シートを配した構築物の正面図である。
【図２】墓石土台と墓石さお石の間に、中心に金属球と弾性剤からなる転倒防止シートを配した構築物の、図１Ａ−Ｂ面における断面図である。
【図３】墓石土台と墓石さお石の間に、中心に金属球と弾性剤からなる転倒防止シートと、接着剤を配した構築物の正面図である。
【図４】墓石土台と墓石さお石の間に、中心に金属球と弾性剤からなる転倒防止シートと、接着剤を配した構築物の、図３Ｃ−Ｄ面における断面図である。
【図５】図３、図４における中心に金属球を置いた転倒防止シートの代わりに、金属球と、ドーナツ型金属リングと、弾性材料からなる転倒防止シートの平面図である。
【図６】図３、図４における中心に金属球を置いた転倒防止シートの代わりに、金属球と、ドーナツ型金属リングと、弾性材料からなる転倒防止シートのＥ−Ｆ面での断面図である。
【図７】図３、図４における中心に金属球を置いた転倒防止シートの代わりに、金属球と、ドーナツ型金属リングと、金属材料と弾性材料からなる転倒防止シートの平面図である。
【図８】図３、図４における中心に金属球を置いた転倒防止シートの代わりに、金属球と、ドーナツ型金属リングと、金属材料と弾性材料からなる転倒防止シートのＧ−Ｈ面での断面図である。
【図９】図３、図４における中心に金属球を置いた転倒防止シートの代わりに、金属球と、ドーナツ型金属リングと、弾性材料からなる転倒防止シートの平面図である。
【図１０】図３、図４における中心に金属球を置いた転倒防止シートの代わりに、金属球と、ドーナツ型金属リングと、弾性材料からなる転倒防止シートのＩ−Ｊ面での断面図である。
【符号の説明】
【００２７】
１      墓
２      墓石土台
３      墓石さお石
４      接着剤層
５      弾性体シート
６      金属球
７      ドーナツ型金属リング
８      転倒防止シート
９      金属シート
１０    保護フィルム
Ａ、Ｂ  断面図の切断位置を示す。
Ｃ、Ｄ  断面図の切断位置を示す。
Ｅ、Ｆ  断面図の切断位置を示す。
Ｇ、Ｈ  断面図の切断位置を示す。
Ｉ、Ｊ  断面図の切断位置を示す。
【図１】
0003123123.tif 000003
【図２】
0003123123.tif 000004
【図３】
0003123123.tif 000005
【図４】
0003123123.tif 000006
【図５】
0003123123.tif 000007
【図６】
0003123123.tif 000008
【図７】
0003123123.tif 000009
【図８】
0003123123.tif 000010
【図９】
0003123123.tif 000011
【図１０】
0003123123.tif 000012